(57)【特許請求の範囲】
【請求項１】
スクリーンを巻き付ける巻取軸に内蔵されたコイルスプリングの捩りによる回転付勢力をスクリーンの巻取用の駆動源とし、上記スクリーンの先端に開閉操作用の操作框を取り付けて、該スクリーンを開閉するようにした自動巻取式のスクリーン装置であって、
上記巻取軸を収容した巻取ボックスに、巻取軸から導出したスクリーンの引出方向を転向させるガイドロールを、その両端を回転自在に支持させて上記巻取軸と離間させて平行に配設し、
該ガイドロールの中間位置を回転自在に支持してその中間部の撓みを防止する支持部片を、上記巻取ボックスにおけるスクリーンの移動を妨げない位置に設けた、
ことを特徴とする自動巻取式スクリーン装置。
【請求項２】
ガイドロールを中間において複数に分断し、支持部片に設けた支軸により、その分断した位置における両側のガイドロールを回転自在に軸支させた、
ことを特徴とする請求項１に記載の自動巻取式スクリーン装置。
【発明の詳細な説明】
【０００１】
【発明の属する技術分野】
本発明は、建物開口部ばかりでなく、防塵、遮光、断熱、防虫等のために用いられる各種の収納部等の開口に適用される自動巻取式スクリーン装置に関するものであり、さらに具体的には、広幅のスクリーンを用いた場合におけるスクリーン引出し時に該スクリーンに皺や弛みが生じるのを防止するようにした自動巻取式のスクリーン装置に関するものである。
【０００２】
【従来の技術】
従来、コイルスプリングを駆動源とする巻取軸にスクリーンを巻き付けると共に、該スクリーンの先端に開閉操作用の操作框を取り付け、該スクリーンを自動的に巻取るようにしたスクリーン装置は、広く知られている。
この種の自動巻取式のスクリーン装置においては、巻取軸に巻取っているスクリーンを直接的に巻取ボックスの導出孔等に導くと、巻取軸におけるスクリーンの巻取量によって巻き径が相違し、それによって、巻取軸の周囲から巻取ボックスの導出孔に至るスクリーンの傾斜角度が相違することになるため、スクリーンの一部が上記導出孔の孔壁に強く接触して摩損する可能性があり、そのため、通常は、図４及び図５に示すように、巻取軸３０から導出したスクリーン３１の引出方向を、該巻取軸３０と平行に配設したガイドロール３２への巻き掛けによって転向させている。
【０００３】
しかしながら、上記ガイドロール３２に巻き掛けたスクリーン３１を、その先端に取り付けた開閉操作用の操作框３３によって引き出すとき、特にスクリーンが広幅のものである場合には、そのスクリーンへの引張り力がガイドロール３２を鎖線によって示すように湾曲させ、それに伴ってスクリーン３１に部分的な皺や弛みが生じ、その皺等がその後のスクリーンの引出しや巻取りに不具合を生じさせ、あるいは、スクリーンの破損の原因になる。
この問題に対する対策としては、ガイドロール３２に曲げに対する強度を付与すればよいことが明らかであるが、ガイドロール３２を大径にすると全体的に装置が大型化すると同時にコストが増大するという、ユーザーにおいて受入れが容認され難い新たな問題が発生する。
【０００４】
【発明が解決しようとする課題】
本発明の技術的課題は、コイルスプリングを駆動源とする巻取軸にスクリーンを巻き付けて、該スクリーンを自動的に巻取るようにしたスクリーン装置において、巻取軸から導出したスクリーンの引出方向をガイドロールにより転向させて引き出すに際し、スクリーンが幅広のものであっても、ガイドロールの湾曲を抑制してスクリーンに皺や弛みが生じるのを防止できるようにした自動巻取式のスクリーン装置を提供することにある。
本発明の他の技術的課題は、上述したスクリーンにおける皺や弛みの防止を、ガイドロールを大径化したり装置を大型化することなく、簡単な手段によって低コストで実現できるようにした自動巻取式のスクリーン装置を提供することにある。
【０００５】
【課題を解決するための手段】
上記課題を解決するため、本発明の自動巻取式スクリーン装置は、スクリーンを巻き付ける巻取軸に内蔵されたコイルスプリングの捩りによる回転付勢力をスクリーンの巻取用の駆動源とし、上記スクリーンの先端に開閉操作用の操作框を取り付けて、該スクリーンを開閉するようにした自動巻取式のスクリーン装置であって、上記巻取軸を収容した巻取ボックスに、巻取軸から導出したスクリーンの引出方向を転向させるガイドロールを、その両端を回転自在に支持させて上記巻取軸と離間させて平行に配設し、該ガイドロールの中間位置を回転自在に支持してその中間部の撓みを防止する支持部片を、上記巻取ボックスにおけるスクリーンの移動を妨げない位置に設けたことを特徴とするものである。
上記自動巻取式スクリーン装置においては、ガイドロールを中間において複数に分断し、支持部片に設けた支軸により、その分断した位置における両側のガイドロールを回転自在に軸支させるのが、より簡便である。
【０００６】
上記構成を有する自動巻取式スクリーン装置においては、巻取軸に内蔵されたコイルスプリングの回転付勢力に抗して操作框を操作することによりスクリーンを引き出す際に、スクリーンを介してガイドロールにその操作力が作用し、ガイドロールにはそれが支持されている部分の中間部を湾曲させる曲げ応力が作用するが、該ガイドロールは、その中間位置を支持部片により支持させ、スパンを小さくしているので、湾曲による中間部の撓みが抑制され、スクリーンに、その引出しや巻取りに不具合を生じさせたり、スクリーンを破損させるような皺や弛みが生じることはない。
【０００７】
上記ガイドロールをその中間位置を支持部片で支持させるに際しては、ガイドロールを中間において複数に分断し、支持部片により、その分断した位置における両側のガイドロールを回転自在に軸支させるのが、構造を簡単化するために有効である。
【０００８】
このような本発明の自動巻取式のスクリーン装置によれば、巻取軸から導出したスクリーンの引出方向をガイドロールにより転向させて引き出すに際し、スクリーンが幅広のものであっても、ガイドロールの湾曲を抑制してスクリーンに皺や弛みが生じるのを防止することができ、また、上記スクリーンの皺や弛みの防止を、ガイドロールを大径化したり装置を大型化することなく、簡単な手段によって低コストで実現することができる。
【０００９】
【発明の実施の形態】
以下に、本発明の自動巻取式スクリーン装置の実施の形態を図面に基づいて詳細に説明する。
図１ないし図３は本発明にかかる自動巻取式スクリーン装置の実施の一例を示すものである。このスクリーン装置は、建物開口部ばかりでなく、防塵、遮光、断熱、防虫等のために用いられる各種の収納部、例えば、ショーケースや配膳車等の開口に適用することができるものである。
【００１０】
この実施例のスクリーン装置は、各種収容部の開口部の上枠に取付ける巻取ボックス１と、該巻取ボックス１から導出されたスクリーン２と、該スクリーン２の先端部に取付けられた操作框（ボトムバー）３と、上記開口部の側枠に配設され、該操作框３の両端をスクリーン２の張設位置においてガイドするガイドレール４とを備えている。なお、図１及び図２においては、ガイドレール４は省略している。
【００１１】
上記スクリーン２は、その張設時に幅方向のたるみが生じない状態で幅調整可能に支持させるため、左右両側端部に沿って係合部材１１を有していて、該係合部材１１を上記ガイドレール４内に遊動自在に設けたインナーレール１２に係合させている（図３参照）。
なお、この係合部材１１は、スクリーン２と共に巻取可能であることが必要であり、例えば、スライドファスナーの相互に接合される半体の一方、あるいはそれに相当するような部材をそのまま利用することができる。
【００１２】
上記操作框３は、その下面側に吸着面を有するマグネットからなる吸着具（図示せず）を備えていて、該吸着具を開口部の下枠に配設された図示しない鉄板等の強磁性の金属板に吸着させることにより、上記スクリーン２を常に緊張した状態に張設することができるようになっている。
【００１３】
上記巻取ボックス１は、左右のブラケット５Ａ，５Ｂと、該ブラケット５Ａ，５Ｂに回転自在に支持された、上記スクリーン２を後述するコイルスプリング１９の付勢力で巻取る巻取軸６、及びスクリーン２の導出をガイドするためのガイドロール７と、上記巻取ボックス１の下部前方に設けられた、スクリーン２を導出する開口部１ａとを備えている。
【００１４】
上記巻取軸６は、その両端にサイドキャップ１５Ａ，１５Ｂが嵌着されていて、それらのサイドキャップ１５Ａ，１５Ｂが、上記ブラケット５Ａ，５Ｂに取付けられた支持軸１６，１７により、それらブラケット５Ａ，５Ｂにそれぞれ回転自在に支持させている。
この巻取軸６内部には、該巻取軸６に内蔵されたコイルスプリング１９の捩りによる回転付勢力をスクリーン２の巻取用の駆動力とする自動巻取ユニット１８が配設されていて、上記スクリーン２を自動的に巻取るように構成している。
【００１５】
この実施例では、上記自動巻取ユニット１８を、図１において破線で示すように、巻取軸６の内部において、上記支持軸１６にコイルスプリング１９の一端を固定的に接続する共に、該コイルスプリング１９の他端を巻取軸６に固定したスプリング受け２０に固定的に接続し、コイルスプリング１９の中空内における支持軸１６とスプリング受け２０の間に、コイルスプリング１９をガイドするガイド芯棒２１を、一方の端部を回転自在なるように支持させた構成としている。
そして、スクリーン２の導出により、上記スプリング受け２０が巻取軸６と共に回転してコイルスプリング１９を捩り、その捩りの復帰力による回転付勢力が、巻取軸６がスクリーン２を巻取るため駆動力となる。
なお、上記自動巻取ユニット１８によりスクリーン２を自動的に巻取る構成は、上述のものに限らず任意の構成のものを用いることができる。
【００１６】
上記ガイドロール７は、上記巻取軸６から導出したスクリーン２の引出方向を転向させるもので、該巻取軸６と平行に配設され、スクリーン導出時の張力によって最も撓みが大きい部分であるその中間位置において、該ガイドロール７の中間部での撓みを防止する支持部片８によって回転自在に支持されている。
具体的には、上記ガイドロール７は、その中間位置において２つロール部材７ａ，７ｂに分断されていて、上記支持部片８が、これらロール部材７ａ，７ｂの間の、巻取ボックス１におけるスクリーン２の移動を妨げない位置に配設され、この支持部片８によって分断されたロール部材７ａ，７ｂを支持させている。
【００１７】
上記支持部片８は、上記ロール部材７ａ，７ｂとの当接面の方向にそれぞれ突出して、それらロール部材７ａ，７ｂを回転自在に軸支するための支軸８ａ，８ｂを備えている。該支持部片８は、これらの支軸８ａ，８ｂにより、ロール部材７ａ，７ｂを支持させた場合に、ガイドロール７におけるスクリーン２との接触面から突出しない位置に設けられ、巻取ボックス１に固定されている。
なお、上記支軸８ａ，８ｂは、支持部片８に軸支される一本の回転軸として構成することができる。
このようにすることにより、ガイドロール７の撓みを防止するための構造を簡単化することができ、組立てやメンテナンス等を非常に容易に行うことができるという利点がある。
【００１８】
上記構成を有する自動巻取式スクリーン装置は、巻取軸６に内蔵されたコイルスプリング１９の回転付勢力に抗して操作框３を操作することにより、スクリーン２を引き出す際にスクリーン２を介してガイドロール７にその操作力が作用し、ガイドロール７にはそれが支持されている部分の中間部を湾曲させる曲げ応力が作用するが、該ガイドロール７は、その中間位置を支持部片８により支持させ、スパンを小さくしているので、湾曲による中間部の撓みが抑制され、これにより、スクリーン２にその引出しや巻取りに不具合を生じさせたり、スクリーン２を破損させるような皺や弛みが生じることはない。
【００１９】
さらに、巻取軸６から導出したスクリーン２の引出方向をガイドロール７により転向させて引き出すに際し、スクリーン２が幅広のものであっても、ガイドロール７の湾曲を抑制してスクリーン２に皺や弛みが生じるのを防止することができ、また、上記スクリーン２の皺や弛みの防止を、ガイドロール７を大径化したり装置を大型化することなく、簡単な手段によって低コストで実現することが可能である。
【００２０】
上記実施例においては、ガイドロール７をその中間位置で支持部片８によって支持させる構成として、ガイドロール７をその中間位置で二つのロール部材７ａ，７ｂに分断し、それらロール部材７ａ，７ｂの間に支持部片８を配設して、その支軸８ａ，８ｂでロール部材７ａ，７ｂをそれぞれ軸支した構成としているが、これ以外の構成、例えば、ガイドロールの中間位置の外径を他の部分より小径にすると共に、支持部片にその小径の部分を回転自在に受ける受け溝等を設けて、その支持部片によってガイドロールの小径の部分を支持させるようにするなど、任意の構成のものを用いることができる。この場合であっても、支持部片がスライドの移動を妨げないようにすることが肝要である。
また、上記ガイドロール７は、その長さに応じて任意数に分断し、それらを支持部片８でそれぞれ支持させることができる。
【００２１】
【発明の効果】
以上に詳述したように、本発明の自動巻取式スクリーン装置によれば、巻取軸から導出したスクリーンの引出方向を転向するガイドロールを、その中間位置で支持部片により支持させ、スパンを小さくしているので、スクリーンの導出によって生じる中間部の撓みが抑制され、スクリーンに引出しや巻取りによる不具合を生じさせたり、スクリーンを破損させるような皺や弛みが生じることはない。また、巻取軸から導出したスクリーンの引出方向をガイドロールにより転向させて引き出すに際し、スクリーンが幅広のものであっても、ガイドロールの湾曲を抑制してスクリーンに皺や弛みが生じるのを防止することができ、また、上記スクリーンの皺や弛みの防止を、ガイドロールを大径化したり装置を大型化することなく、簡単な手段によって低コストで実現することができる。
【図面の簡単な説明】
【図１】本発明にかかる自動巻取式スクリーン装置の一実施例を示す正断面図である。
【図２】同側断面図である
【図３】同平面図である。
【図４】従来の自動巻取式スクリーン装置を示す正断面図である。
【図５】同側断面図である。
【符号の説明】
１  巻取ボックス
２  スクリーン
３  操作框
６  巻取軸
７  ガイドロール
８  支持部片
８ａ，８ｂ  支軸
１９  コイルスプリング
【図１】
0003566640.tif 000002
【図２】
0003566640.tif 000003
【図３】
0003566640.tif 000004
【図４】
0003566640.tif 000005
【図５】
0003566640.tif 000006